(57)【要約】【課題】複数の印刷材を無駄なくほぼ同時期に使い果たすことができ、ひいては印刷材の同時交換を可能として交換作業の手間を軽減することができるようにする。【解決手段】ＹＭＣＫ各色のトナーを使って印刷する電子写真印刷方式のカラーページプリンタであって、マイクロコンピュータを構成するＣＰＵは、ＹＭＣＫ各色のトナー残量を算出し、算出結果として得た各色トナーの残量に応じて、最低残量Ｒ１と最低から２番目の残量Ｒ２に該当する２色のトナーの単位消費量を低減するように制御する。【選択図】　図４
2004093817.tif 000002
【特許請求の範囲】
【請求項１】
複数の印刷材を使って印刷する印刷装置であって、
前記複数の印刷材の各残量を取得する残量取得手段と、
前記残量取得手段で得られた前記複数の印刷材の各残量に応じて、少なくとも１つの印刷材の単位消費量を調整する印刷材調整手段を備えたことを特徴とする、印刷装置。
【請求項２】
前記複数の印刷材は、電子写真印刷方式により転写される各色のトナーであり、前記印刷材調整手段は、前記トナーの転写濃度に相当する単位消費量を、電子写真印刷方式により現像する際の現像バイアスまたは露光する際の露光量を制御することで調整する、請求項１に記載の印刷装置。
【請求項３】
前記各色のトナーは、ＹＭＣＫ各色からなり、前記印刷材調整手段は、前記ＹＭＣＫ各色のうちの少なくとも２色以上に関して残量のより少ない色の単位消費量を低減するように制御する、請求項２に記載の印刷装置。
【請求項４】
前記複数の印刷材は、インクジェット印刷方式により噴射される各色のインクであり、前記印刷材調整手段は、前記インクの噴射サイズに相当する単位消費量を、インクジェット印刷方式により噴射する際の噴射圧を制御することで調整する、請求項１に記載の印刷装置。
【請求項５】
前記各色のインクは、ＹＭＣＫ各色からなり、前記印刷材調整手段は、前記ＹＭＣＫ各色のうちの少なくとも２色以上に関して残量のより少ない色の単位消費量を低減するように制御する、請求項４に記載の印刷装置。
【発明の詳細な説明】
【０００１】
【発明の属する技術分野】
本発明は、たとえば複数のカラートナーやカラーインクを使いながら印刷する印刷装置に関する。
【０００２】
【従来の技術】
一般に、カラー印刷可能な電子写真印刷方式のページプリンタやインクジェットプリンタでは、トナーやインクが無くなるとその都度カートリッジを介してトナーやインクを補充・交換している。
【０００３】
たとえば、カラーページプリンタには、ＹＭＣＫ各色のトナーをそれぞれ色別のトナーカートリッジにより交換するタイプや、トナーホッパーや現像器などを一体としたプロセスカートリッジにより交換するタイプなどがある。また、カラーインクジェットプリンタにしても、ＹＭＣＫ各色のインクをそれぞれ色別のインクカートリッジにより交換するタイプや、ＹＭＣを一体としたカラーインク一体型カートリッジと黒インクカートリッジとに分けて交換するタイプなどがある。
【０００４】
いずれにしても、ＹＭＣＫ各色のトナーやインクには、印刷する頻度や色合いにもよるが減り具合の早い色と遅い色とが必ず存在するため、ユーザは、トナー残量やインク残量が少なくなった色ごとにカートリッジを交換しなければならない。
【０００５】
【発明が解決しようとする課題】
しかしながら、トナー残量やインク残量に応じて色ごとにカートリッジを交換するのでは、一時に複数のカートリッジを交換できないために自ずと交換する機会が増え、面倒で煩わしい交換作業をその都度行わなければならない。たとえば、ユーザは、ある色のカートリッジを交換して間もなく別の色が無くなると、またその別の色のカートリッジを交換しなければならず、面倒な交換作業を何度も強いられる。
【０００６】
もちろん、ユーザの立場からすれば複数のカートリッジを同時に交換しても良いが、カラーインク一体型カートリッジでは、１色無くなっただけでも必然的に全色が同時に交換される。ところが、各色の残量については、ある１色が残り少なくなっても他の色が相当量残っていることが多いので、そうした状況下で同時交換したのではいずれかのカラーインクを最後まで使い果たせないという問題が生じた。
【０００７】
【発明の開示】
そこで、本発明は、上記した事情のもとで考え出されたものであって、複数の印刷材を無駄なくほぼ同時期に使い果たすことができ、ひいては印刷材の同時交換を可能として交換作業の手間を軽減することができる印刷装置を提供することを課題としている。
【０００８】
上記課題を解決するため、本発明では、次の技術的手段を講じている。
【０００９】
本発明に係る印刷装置は、複数の印刷材を使って印刷する印刷装置であって、前記複数の印刷材の各残量を取得する残量取得手段と、前記残量取得手段で得られた前記複数の印刷材の各残量に応じて、少なくとも１つの印刷材の単位消費量を調整する印刷材調整手段を備えたことを特徴としている。
【００１０】
本発明の好ましい実施の形態としては、前記複数の印刷材は、電子写真印刷方式により転写される各色のトナーであり、前記印刷材調整手段は、前記トナーの転写濃度に相当する単位消費量を、電子写真印刷方式により現像する際の現像バイアスまたは露光する際の露光量を制御することで調整する構成とすることができる。
【００１１】
前記各色のトナーは、ＹＭＣＫ各色からなり、前記印刷材調整手段は、前記ＹＭＣＫ各色のうちの少なくとも２色以上に関して残量のより少ない色の単位消費量を低減するように制御する。
【００１２】
また、他の好ましい実施の形態としては、前記複数の印刷材は、インクジェット印刷方式により噴射される各色のインクであり、前記印刷材調整手段は、前記インクの噴射サイズに相当する単位消費量を、インクジェット印刷方式により噴射する際の噴射圧を制御することで調整する構成とすることができる。
【００１３】
前記各色のインクは、ＹＭＣＫ各色からなり、前記印刷材調整手段は、前記ＹＭＣＫ各色のうちの少なくとも２色以上に関して残量のより少ない色の単位消費量を低減するように制御する。
【００１４】
本発明では、たとえば複数の印刷材がＹＭＣＫ各色のトナーあるいはインクからなる場合、ある色が他の色より残り少なくなると、その残り少なくなった色の単位消費量を低減するように制御する。たとえば、電子写真印刷方式では、現像バイアスあるいは露光量を制御することでトナーの転写濃度に相当する単位消費量を減らすことができ、インクジェット印刷方式では、たとえばピエゾ圧電素子や発熱素子を介してインクの噴射圧を制御することでインクの噴射サイズに相当する単位消費量を減らすことができる。その後、各色のトナーやインクが印刷に伴い目減りするが、最も残量の少ない色については、他の色より単位消費量が抑えられるので、各色の残量は、相対的には差が縮まる傾向となる。
【００１５】
したがって、本発明によれば、少なくとも１つの印刷材の単位消費量を減らすなどして複数の印刷材の残量が均等となるように制御されるので、ほぼ同時期にほとんど残量が無い状態として複数の印刷材を使い果たすことができ、ひいては印刷材の同時交換を可能として交換作業の手間を軽減することができる。
【００１６】
本発明のその他の特徴および利点は、図面を参照して以下に行う詳細な説明から、より明らかとなるであろう。
【００１７】
【発明の実施の形態】
以下、本発明の好ましい実施の形態を、図面を参照して具体的に説明する。
【００１８】
図１は、本発明に係る印刷装置の一例を示す概略図である。
【００１９】
図１に示す印刷装置は、電子写真印刷方式のカラーページプリンタであって、装置内部には、用紙Ｐに対してタンデム方式によりＹＭＣＫ（イエロー，マゼンタ，シアン，黒）各色のトナー（印刷材）を順に転写するためのトナー転写部１０Ｙ，１０Ｍ，１０Ｃ，１０Ｋが設けられている。トナー転写部１０Ｙ，１０Ｍ，１０Ｃ，１０Ｋのそれぞれは、感光ドラム１１、転写ローラ１２、帯電器１３、露光器１４、トナーホッパー１５、現像器１６、およびクリーナ１７などにより構成される。各トナー転写部１０Ｙ，１０Ｍ，１０Ｃ，１０Ｋにおける感光ドラム１１と転写ローラ１２との間には、用紙Ｐを連続的に搬送するための循環ベルト１９が挟み込まれる。この循環ベルト１９を介して各トナー転写部１０Ｙ，１０Ｍ，１０Ｃ，１０Ｋを順に通過した用紙Ｐは、さらに定着ユニット２０を通過することでトナーが定着させられ、最終的には装置外部へと導かれる。
【００２０】
感光ドラム１１は、表面に光半導体層が形成され、トナーを用紙Ｐ上に転写させるために用いられる。転写ローラ１２は、感光ドラム１１との間に用紙Ｐを挟んだ状態で回転する。帯電器１３は、感光ドラム１１の表面に静電気を帯びさせる。露光器１４は、回転する感光ドラム１１の表面にたとえばＬＥＤの光で画像を走査する。光の当たった部分は導体となり、帯電していた電荷が消えるため、その結果として感光ドラム１１の表面に静電潜像が形成される。このときの露光量は、後述するマイクロコンピュータにより可変制御され、この露光量により感光ドラム１１表面の電荷の消失度合いが変化する。トナーホッパー１５は、ＹＭＣＫ各色のトナーを収容し、現像器１６に対してトナーを供給する。現像器１６は、帯電させたトナーを感光ドラム１１の表面に吸着させる。このときの吸着度合い（帯電の強さ）を左右する現像バイアスは、後述するマイクロコンピュータにより可変制御される。感光ドラム１１の表面には、露光による電荷の消失部分にだけトナーが吸着し、このトナーが用紙Ｐ上に転写される。クリーナ１７は、感光ドラム１１の表面に残ったトナーを回収する。定着ユニット２０は、定着ローラ２０Ａ，２０Ａにより用紙Ｐに対して熱と圧力をかけ、トナーを用紙Ｐ上に定着させる。
【００２１】
ここで、各トナー転写部１０Ｙ，１０Ｍ，１０Ｃ，１０Ｋの構成要素のうち、帯電器１３、トナーホッパー１５、および現像器１６は、特に図示しないがプロセスカートリッジとして一体化した構造からなる。すなわち、帯電器１３、トナーホッパー１５、および現像器１６は、必要に応じてプロセスカートリッジごと一括交換される。
【００２２】
次に、図２は、図１の印刷装置に内蔵されたマイクロコンピュータのブロック図である。マイクロコンピュータは、ＣＰＵ３１、ＲＯＭ３２、ＲＡＭ３３、およびインターフェイス回路３４などからなる。インターフェイス回路３４には、各トナー転写部１０Ｙ，１０Ｍ，１０Ｃ，１０Ｋの帯電器１３、露光器１４、現像器１６が接続されている。また、インターフェイス回路３４には、図外のパーソナルコンピュータが接続されている。
【００２３】
ＣＰＵ３１は、印刷装置全体の動作を制御する。たとえば、ＣＰＵ３１は、パーソナルコンピュータから送られてきた印刷データに基づき、ＹＭＣＫ各色の転写必要量を求め、これらの転写必要量を印刷毎に積算することでＹＭＣＫ各色のトナー残量を算定する。トナー残量が極端に少なくなってエンプティレベル未満になると、ＣＰＵ３１は、その色のトナーを交換すべき旨をパーソナルコンピュータに通知する。また、ＣＰＵ３１は、トナー転写部１０Ｙ，１０Ｍ，１０Ｃ，１０ＫごとにＹＭＣＫ各色のトナー残量に応じて現像器１６の現像バイアスを可変制御する。これにより、あくまでも色合いのバランスを崩さない範囲内でＹＭＣＫ各色別にトナーの転写濃度に相当する単位消費量が微調整される。なお、ここで言う「単位消費量」とは、たとえば所定画素数からなる単位領域当たりに転写されるトナー量を意味する。ＲＯＭ３２には、ＣＰＵ３１に実行させるプログラムが格納されている。ＲＡＭ３３は、ＣＰＵ３１に対してデータ格納領域や作業領域を提供する。
【００２４】
次に、印刷装置の動作について説明する。
【００２５】
図３は、トナーの単位消費量を調整する手順を示すフローチャート、図４は、各色のトナーの残量が変化する様子を説明するための説明図である。なお、図３および図４においては、各色のトナー残量を「Ｒ＊」で示し、また、上記エンプティレベルを「Ｅｐ」で示す。
【００２６】
図３に示すように、ＣＰＵ３１は、印刷データから求めたＹＭＣＫ各色のトナー転写量に基づき、定期的にＹＭＣＫ各色のトナー残量Ｒ＊を算定している（Ｓ１）。トナー残量Ｒ＊は、プロセスカートリッジを交換してから現時点までのトナーの総転写量を、トナーホッパー１５の規定容量から差し引くことで求められる。なお、トナー残量Ｒ＊を算定するタイミングは、あらかじめ決められた周期的なタイミングとしても良いし、パーソナルコンピュータから印刷データが送られてくるごととしても良い。
【００２７】
その後、ＣＰＵ３１は、上記Ｓ１で求めたＹＭＣＫ各色のトナー残量Ｒ＊を比較する（Ｓ２）。このとき、トナー残量Ｒ＊は、図４の（ａ）に一例として示すように、Ｒ１＜Ｒ２＜Ｒ３＜Ｒ４の関係にある。また、ＹＭＣＫ各色のトナーの単位消費量は、当初のうちは現像バイアスを標準的な同一レベルとすることで全色均等とされている。
【００２８】
そして、上記トナー残量Ｒ＊の比較結果を得たＣＰＵ３１は、最低残量Ｒ１に該当する色のトナーにつき、現像バイアスを標準レベルより低減する（Ｓ３）。これにより、最低残量Ｒ１の色の単位消費量が他の色の単位消費量より若干少なくなる。
【００２９】
また、ＣＰＵ３１は、最低から２番目の残量Ｒ２に該当する色のトナーについても、現像バイアスを標準レベルより低減する（Ｓ４）。これにより、残量Ｒ２の色の単位消費量が残量Ｒ１を除く他の色の単位消費量より若干少なくなる。
【００３０】
たとえば、標準レベルの現像バイアスが４００Ｖの場合、最低残量Ｒ１に該当する色の現像バイアスは、４００−｛５００×（Ｒ４−Ｒ１）／Ｒ１｝とされ、最低から２番目の残量Ｒ２に該当する色の現像バイアスは、４００−｛５００×（Ｒ３−Ｒ２）／Ｒ２｝とされる。こうした場合、現像バイアスは、残量差に応じて変化（減少）させられる。そのため、単位消費量は、色ごとに異なるものの色合いのバランスを崩さないように一定の範囲内に制限される。そうした結果、印刷が行われるにつれてＹＭＣＫ各色のトナー残量Ｒ＊は、図４の（ｂ）に示すように、次第に差が縮まって同量に近づいてくる。
【００３１】
以上のようにして残量Ｒ１，Ｒ２の色の単位消費量を下げた後、さらに印刷を行うことにより、図４の（ｃ）に示すように、残量Ｒ２とＲ３の色のトナーがそろってエンプティレベルＥｐより少なくなると（Ｓ５：ＹＥＳ）、ＣＰＵ３１は、残量Ｒ２とＲ３の色のトナーを同時交換すべき旨をパーソナルコンピュータに通知する（Ｓ６）。これにより、パーソナルコンピュータ上では、たとえばプリンタドライバなどを通じて該当する２色のプロセスカートリッジの交換を促す画面が表示される。これを受けてユーザは、２つのプロセスカートリッジを同時交換することができる。カートリッジ交換後、ＣＰＵ３１は、新たにセットされた色の残量や現像バイアスをリセットし、再びＳ１に戻って一連の処理を繰り返す。
【００３２】
Ｓ５において、残量Ｒ２とＲ３の色のトナーがエンプティレベルＥｐ未満になく（Ｓ５：ＮＯ）、残量Ｒ１とＲ４の色のトナーがそろってエンプティレベルＥｐより少ない場合（Ｓ７：ＹＥＳ）、このような場合もＣＰＵ３１は、残量Ｒ１とＲ４の色のトナーを同時交換すべき旨をパーソナルコンピュータに通知する（Ｓ８）。パーソナルコンピュータ上では、上記と同様に２色のプロセスカートリッジの交換を促す画面が表示され、これを受けてユーザは、２つのプロセスカートリッジを同時交換することができる。カートリッジ交換後、ＣＰＵ３１は、新たにセットされたトナーの残量や現像バイアスをリセットし、再びＳ１に戻って一連の処理を繰り返す。
【００３３】
Ｓ７において、残量Ｒ１とＲ４の色のトナーもエンプティレベルＥｐ未満になく（Ｓ７：ＮＯ）、残量Ｒ＊の１色のトナーだけがエンプティレベルＥｐより少ない場合（Ｓ９：ＹＥＳ）、ＣＰＵ３１は、その１色のトナーを交換すべき旨をパーソナルコンピュータに通知する（Ｓ１０）。パーソナルコンピュータ上では、該当する１色のプロセスカートリッジの交換を促す画面が表示され、これを受けてユーザは、１つのプロセスカートリッジを交換することができる。カートリッジ交換後、ＣＰＵ３１は、新たにセットされた色の残量や現像バイアスをリセットし、再びＳ１に戻って一連の処理を繰り返す。
【００３４】
Ｓ９において、ＹＭＣＫ各色のどのトナーについてもエンプティレベルＥｐ未満でない場合（Ｓ９：ＮＯ）、ＣＰＵ３１は、Ｓ２に戻って一連の処理を繰り返す。
【００３５】
なお、印刷する頻度や色合いなどによって２色のトナーがエンプティレベルＥｐ未満になる組み合わせとしては、残量Ｒ２とＲ３、Ｒ１とＲ４の組み合わせも含めて６通り考えられる。図３や図４には特に図示しないが、もちろん残量Ｒ２とＲ３、Ｒ１とＲ４の組み合わせ以外で２色のトナーがエンプティレベルＥｐ未満になったときも、ＣＰＵ３１は、該当する２色のトナーを同時交換すべき旨をパーソナルコンピュータに通知する。
【００３６】
また、３色同時あるいは４色同時にエンプティレベルＥｐ未満になる組み合わせも考えられる。このような場合も、ＣＰＵ３１は、該当する３色あるいは４色のトナーを同時交換すべき旨をパーソナルコンピュータに通知する。これによりユーザは、３つあるいは４つすべてのプロセスカートリッジを同時交換することができる。
【００３７】
したがって、本実施形態に係る印刷装置によれば、残量Ｒ＊が少ない２色のトナーの単位消費量を標準より減らして印刷を行うことにより、２〜４色のトナー残量をほぼ均衡させつつエンプティレベルＥｐ未満に至らしめることができる。その結果、ほぼ同時期にほとんど残量が無い状態として２〜４色のトナーを使い果たすことができる。ひいては、各色のトナーを納めたカートリッジを同時に交換することができ、カートリッジ交換の手間を軽減することができる。
【００３８】
なお、本発明は、上記した実施形態に限定されるものではない。
【００３９】
上記実施形態では、各色のトナーとともに帯電器１３や現像器１６を一括交換可能なプロセスカートリッジを備えるが、他の実施形態としては、ＹＭＣＫ各色別にトナーだけを収容したトナーカートリッジを備えた構成としても良い。
【００４０】
各色のトナーの単位消費量を減らすには、現像バイアスに代えて各色の露光量を標準レベルより低減するようにしても良い。
【００４１】
上記実施形態では、最低残量Ｒ１と最低から２番目Ｒ２の２色の単位消費量を低減させたが、単位消費量を低減させる色数は２色に限らず、最低残量Ｒ１の１色だけであっても良いし、あるいは最多残量Ｒ４を除く３色としても良い。また、残量の多い色の単位消費量を増加させるように制御しても良い。
【００４２】
上記実施形態では、一例として残量差に応じて現像バイアスを変化（減少）させることにより、単位消費量が色ごとに異なるように制御されるが、色合いのバランスを崩さない一定の範囲内で単位消費量をあらかじめ定めた分だけ減少させるように制御しても良い。
【００４３】
上記実施形態では、印刷データに基づくトナーの転写必要量からＹＭＣＫ各色のトナー残量を算定するようにしたが、たとえばトナーセンサにより直接残量を測定しても良く、あるいはトナーセンサによる測定残量と印刷データなどに基づく算定残量とを併用して総合的に残量を決定するとしても良い。
【００４４】
また、他の実施形態としては、上記した実施形態と同様の制御をカラーインクジェットプリンタに適用しても良い。たとえば、ＹＭＣＫ各色のインク（印刷材）をそれぞれ色別のインクカートリッジにより交換するタイプのカラーインクジェットプリンタでは、上記実施形態と同様の制御を行うことで各色のインクカートリッジをほぼ同時期に交換することができる。また、ＹＭＣを一体としたカラーインク一体型カートリッジと黒インクカートリッジとに分けて交換するタイプのカラーインクジェットプリンタでは、たとえばＹＭＣのカラーインクについてのみ上記実施形態と同様の制御を行うことでほぼ同時期に複数のカラーインクが無くなるので、カラーインク一体型カートリッジを交換する際に特定の色が多量に残存しているといったことがなく、インクやカートリッジの無駄を効果的に防ぐことができる。
【００４５】
ちなみに、インクジェットプリンタのプリントヘッドには、ピエゾ圧電素子を用いたピエゾ方式によりインクを噴射するタイプと、発熱素子を用いたサーマル方式によりインクを噴射するタイプとがある。いずれのタイプにしても、ＹＭＣＫ各色インクの単位消費量は、噴射粒子サイズに相当するインクの噴射圧を各色別に制御することで微調整することができる。
【００４６】
また、他の実施形態としては、周期的に各カートリッジ内のトナー残量を算出するとともに、前回の算出時から今回の算出時までのトナー消費量（消費速度）を算出し、これらの情報から現像バイアスを調整するなどして各色のトナーの単位消費量を適宜変更することで、ＹＭＣＫ全色のトナー消費量をほぼ均等にするようにしても良い。
【００４７】
（付記１）　複数の印刷材を使って印刷する印刷装置であって、
前記複数の印刷材の各残量を取得する残量取得手段と、
前記残量取得手段で得られた前記複数の印刷材の各残量に応じて、少なくとも１つの印刷材の単位消費量を調整する印刷材調整手段を備えたことを特徴とする、印刷装置。
【００４８】
（付記２）　前記複数の印刷材は、電子写真印刷方式により転写される各色のトナーであり、前記印刷材調整手段は、前記トナーの転写濃度に相当する単位消費量を、電子写真印刷方式により現像する際の現像バイアスまたは露光する際の露光量を制御することで調整する、付記１に記載の印刷装置。
【００４９】
（付記３）　前記各色のトナーは、ＹＭＣＫ各色からなり、前記印刷材調整手段は、前記ＹＭＣＫ各色のうちの少なくとも２色以上に関して残量のより少ない色の単位消費量を低減するように制御する、付記２に記載の印刷装置。
【００５０】
（付記４）　前記複数の印刷材は、インクジェット印刷方式により噴射される各色のインクであり、前記印刷材調整手段は、前記インクの噴射サイズに相当する単位消費量を、インクジェット印刷方式により噴射する際の噴射圧を制御することで調整する、付記１に記載の印刷装置。
【００５１】
（付記５）　前記各色のインクは、ＹＭＣＫ各色からなり、前記印刷材調整手段は、前記ＹＭＣＫ各色のうちの少なくとも２色以上に関して残量のより少ない色の単位消費量を低減するように制御する、付記４に記載の印刷装置。
【００５２】
（付記６）　前記印刷材調整手段は、インクジェット印刷方式により噴射する際の噴射圧を、ピエゾ圧電素子を用いたピエゾ方式により制御する、付記４または５に記載の印刷装置。
【００５３】
（付記７）　前記印刷材調整手段は、インクジェット印刷方式により噴射する際の噴射圧を、発熱素子を用いたサーマル方式により制御する、付記４にまたは５記載の印刷装置。
【００５４】
（付記８）　前記ＹＭＣＫ各色のインクは、カラーインク一体型カートリッジと黒インクカートリッジとに分けて収容されている、付記５に記載の印刷装置。
【００５５】
（付記９）　前記印刷材調整手段は、前記カラーインク一体型カートリッジ内における少なくとも２色以上のカラーインクに関して残量のより少ない色の単位消費量を低減する、付記８に記載の印刷装置。
【００５６】
【発明の効果】
以上説明したように、本発明によれば、少なくとも１つの印刷材の単位消費量を減らすなどして複数の印刷材の残量が均等となるように制御されるので、ほぼ同時期にほとんど残量が無い状態として複数の印刷材を使い果たすことができ、ひいては印刷材の同時交換を可能として交換作業の手間を軽減することができる。
【図面の簡単な説明】
【図１】本発明に係る印刷装置の一例を示す概略図である。
【図２】図１の印刷装置に内蔵されたマイクロコンピュータのブロック図である。
【図３】トナーの単位消費量を調整する手順を示すフローチャートである。
【図４】各色のトナーの残量が変化する様子を説明するための説明図である。
【符号の説明】
１０Ｃ　Ｃ色のトナー転写部
１０Ｍ　Ｍ色のトナー転写部
１０Ｙ　Ｙ色のトナー転写部
１０Ｋ　Ｋ色のトナー転写部
１１　　感光ドラム
１２　　転写ローラ
１３　　帯電器
１４　　露光器
１５　　トナーホッパー
１６　　現像器
１７　　クリーナ
１９　　循環ベルト
２０　　定着ユニット
３１　　ＣＰＵ（残量取得手段，印刷材調整手段）
３２　　ＲＯＭ
３３　　ＲＡＭ
３４　　インターフェイス回路
Ｐ　　　用紙
【図１】
2004093817.tif 000003
【図２】
2004093817.tif 000004
【図３】
2004093817.tif 000005
【図４】
2004093817.tif 000006